(57)【要約】【課題】陰極線管のネック部の先端に設けられたリードピンを保護するためのピンプロテクタにおいて、陰極線管をテレビジョン受像機等の装置内にセットする際の作業性を向上させると共に、ピンプロテクタが異物として装置内に残ることを防止する。【解決手段】ピンプロテクタ１の略円柱状の本体部１０は、弾性及び絶縁性を有するシリコーンゴムにより形成され、高さ方向Ｈに力が加えられていない状態で、リードピン２１の長さを超える高さを有すると共に、高さ方向Ｈに所定の大きさの力が加えられたときに、その高さがリードピンの長さより所定長さＬ３だけ低くなるように変形する。ピンプロテクタ１は、リードピン２１が電源供給用のソケット３に装着される際、陰極線管のネック部の先端２０に装着された状態で陰極線管のネック部の先端２０とソケット３の間で挟持されるので、リードピン２１をソケット３に装着する際、ピンプロテクタ１を取り外す必要がない。【選択図】  図５
2006294426.tif 000002
【特許請求の範囲】
【請求項１】
陰極線管のネック部の先端に設けられたリードピンを保護するための略円柱状の本体部を備え、
前記本体部は、前記陰極線管のネック部の先端と嵌合するように、該本体部の一部を高さ方向に切り欠いて形成された切欠部と、前記リードピンを挿入するために、前記本体部の底面から上面まで貫通して形成されたピン挿入孔とを有し、
前記陰極線管のネック部の先端が前記切欠部に嵌入され、前記ピン挿入孔に前記リードピンが挿入された状態で該陰極線管のネック部の先端に装着されて前記リードピンを保護するピンプロテクタにおいて、
前記本体部は、
蛇腹状の側面を有し、弾性及び絶縁性を有するシリコーンゴムにより形成され、
前記高さ方向に力が加えられていない状態で、前記リードピンの長さを超える高さを有すると共に、前記高さ方向に所定の大きさの力が加えられたときに、前記高さが前記リードピンの長さより所定長さだけ低くなるように変形し、
前記リードピンが電源供給用のソケットに装着される際、前記陰極線管のネック部の先端に装着された状態で前記陰極線管のネック部の先端と前記ソケットの間で挟持され、前記リードピンを前記所定長さだけ前記ソケットに挿入できるように、前記陰極線管のネック部の先端と前記ソケットとの間で圧縮されて、前記高さが前記リードピンの長さより前記所定長さだけ低くなるように変形することを特徴とするピンプロテクタ。
【請求項２】
陰極線管のネック部の先端に設けられたリードピンを保護するための柱状の本体部を備え、
前記本体部は、前記陰極線管のネック部の先端と嵌合するように、該本体部の一部を高さ方向に切り欠いて形成された切欠部と、前記リードピンを挿入するために、前記本体部の底面から上面まで貫通して形成されたピン挿入孔とを有し、
前記陰極線管のネック部の先端が前記切欠部に嵌入され、前記ピン挿入孔に前記リードピンが挿入された状態で該陰極線管のネック部の先端に装着されて前記リードピンを保護するピンプロテクタにおいて、
前記本体部は、
弾性及び絶縁性を有する材料により形成され、前記高さ方向に力が加えられていない状態で、前記リードピンの長さを超える高さを有すると共に、前記高さ方向に所定の大きさの力が加えられたときに、前記高さが前記リードピンの長さより所定長さだけ低くなるように変形し、
前記リードピンが電源供給用のソケットに装着される際、前記陰極線管のネック部の先端に装着された状態で前記陰極線管のネック部の先端と前記ソケットの間で挟持され、前記リードピンを前記所定長さだけ前記ソケットに挿入できるように、前記陰極線管のネック部の先端と前記ソケットとの間で圧縮されて、前記高さが前記リードピンの長さより前記所定長さだけ低くなるように変形することを特徴とするピンプロテクタ。
【請求項３】
前記弾性及び絶縁性を有する材料がシリコーンゴムであることを特徴とする請求項２に記載のピンプロテクタ。
【発明の詳細な説明】
【技術分野】
【０００１】
本発明は、陰極線管のリードピンを保護するピンプロテクタに関する。
【背景技術】
【０００２】
従来から、陰極線管の輸送時において、陰極線管のネック部の先端に設けられたリードピンを保護するためにピンプロテクタが使用されている（例えば、特許文献１乃至特許文献３参照）。このようなピンプロテクタ１０１は、図６に示されるように、陰極線管のネック部１０２の先端１２０に設けられたリードピン１２１を保護するための略円柱状の本体部１１０を備えており、本体部１１０は、陰極線管のネック部１０２の先端１２０と嵌合するように、本体部１１０の一部を高さ方向に切り欠いて形成された切欠部１１１と、リードピン１２１を挿入するために本体部１１０の底面から上面まで貫通して形成されたピン挿入孔１１２とを有している。ピンプロテクタ１０１は、陰極線管のネック部１０２の先端１２０が切欠部１１１に嵌入され、ピン挿入孔１１２にリードピン１２１が挿入された状態で陰極線管のネック部１０２の先端１２０に装着されてリードピン１２１を保護する。
【特許文献１】実開平４−１１６５号公報
【特許文献２】特開平９−２３７５９６号公報
【特許文献３】特開昭６２−１８８１４３号公報
【発明の開示】
【発明が解決しようとする課題】
【０００３】
上述した従来のピンプロテクタにおいては、リードピンを電源供給用のソケットに装着する際、ピンプロテクタを陰極線管のネック部の先端から取り外す必要があり、陰極線管をテレビジョン受像機等の装置内にセットする作業に手間を要していた。また、作業不良により取り外されたピンプロテクタが装置内に残る虞があり、例えば、いわゆるテレビデオ等のようなテープを走行させるための駆動部を有する装置では、異物として装置内に残ったピンプロテクタが駆動部の正常な動作を妨げる虞があった。
【０００４】
本発明は、上記の問題を解決するためになされたものであり、陰極線管をテレビジョン受像機等の装置内にセットする際の作業性を向上させることができ、且つ、異物として装置内に残る虞がなく装置の正常な動作を妨げることがないピンプロテクタを提供することを目的とする。
【課題を解決するための手段】
【０００５】
上記目的を達成するために請求項１の発明は、陰極線管のネック部の先端に設けられたリードピンを保護するための略円柱状の本体部を備え、前記本体部は、前記陰極線管のネック部の先端と嵌合するように、該本体部の一部を高さ方向に切り欠いて形成された切欠部と、前記リードピンを挿入するために、前記本体部の底面から上面まで貫通して形成されたピン挿入孔とを有し、前記陰極線管のネック部の先端が前記切欠部に嵌入され、前記ピン挿入孔に前記リードピンが挿入された状態で該陰極線管のネック部の先端に装着されて前記リードピンを保護するピンプロテクタにおいて、前記本体部は、蛇腹状の側面を有し、弾性及び絶縁性を有するシリコーンゴムにより形成され、前記高さ方向に力が加えられていない状態で、前記リードピンの長さを超える高さを有すると共に、前記高さ方向に所定の大きさの力が加えられたときに、前記高さが前記リードピンの長さより所定長さだけ低くなるように変形し、前記リードピンが電源供給用のソケットに装着される際、前記陰極線管のネック部の先端に装着された状態で前記陰極線管のネック部の先端と前記ソケットの間で挟持され、前記リードピンを前記所定長さだけ前記ソケットに挿入できるように、前記陰極線管のネック部の先端と前記ソケットとの間で圧縮されて、前記高さが前記リードピンの長さより前記所定長さだけ低くなるように変形することを特徴とする。
【０００６】
請求項２の発明は、陰極線管のネック部の先端に設けられたリードピンを保護するための柱状の本体部を備え、前記本体部は、前記陰極線管のネック部の先端と嵌合するように、該本体部の一部を高さ方向に切り欠いて形成された切欠部と、前記リードピンを挿入するために、前記本体部の底面から上面まで貫通して形成されたピン挿入孔とを有し、前記陰極線管のネック部の先端が前記切欠部に嵌入され、前記ピン挿入孔に前記リードピンが挿入された状態で該陰極線管のネック部の先端に装着されて前記リードピンを保護するピンプロテクタにおいて、前記本体部は、弾性及び絶縁性を有する材料により形成され、前記高さ方向に力が加えられていない状態で、前記リードピンの長さを超える高さを有すると共に、前記高さ方向に所定の大きさの力が加えられたときに、前記高さが前記リードピンの長さより所定長さだけ低くなるように変形し、前記リードピンが電源供給用のソケットに装着される際、前記陰極線管のネック部の先端に装着された状態で前記陰極線管のネック部の先端と前記ソケットの間で挟持され、前記リードピンを前記所定長さだけ前記ソケットに挿入できるように、前記陰極線管のネック部の先端と前記ソケットとの間で圧縮されて、前記高さが前記リードピンの長さより前記所定長さだけ低くなるように変形することを特徴とする。
【０００７】
請求項３の発明は、請求項２に記載のピンプロテクタにおいて、前記弾性及び絶縁性を有する材料がシリコーンゴムであることを特徴とする。
【発明の効果】
【０００８】
以上のように請求項１に記載の発明によれば、本体部は、弾性及び絶縁性を有するシリコーンゴムにより形成され、リードピンが電源供給用のソケットに装着される際、陰極線管のネック部の先端に装着された状態で陰極線管のネック部の先端とソケットの間で挟持され、リードピンを所定長さだけソケットに挿入できるように、陰極線管のネック部の先端とソケットとの間で圧縮されて、その高さがリードピンの長さより所定長さだけ低くなるように変形するので、リードピンをソケットに装着する際、ピンプロテクタを取り外す必要がない。このため、陰極線管をテレビジョン受像機等の装置内にセットする際の作業性を向上させることができ、且つ、ピンプロテクタが異物として装置内に残る虞がなく装置の正常な動作を妨げることもない。
【０００９】
また、本体部は蛇腹状の側面を有するので、ピンプロテクタは本体部の径方向に力が加えられた場合に変形し難く、本体の高さ方向に力が加えられた場合に変形し易くなる。このため、ピンプロテクタは、本体部の径方向に大きな力が加えられた場合であっても、この力を吸収してリードピンの変形を防ぐことができる。また、ピンプロテクタが陰極線管のネック部の先端に装着された状態でリードピンがソケットに取り付けられる際、ピンプロテクタは、高さ方向から加えられた力により容易に本体部の高さが低くなるように変形するので、簡単にリードピンを所定長さだけソケットに挿入することができる。
【００１０】
また、本体部を電気特性に優れたシリコーンゴムにより形成したので、ピンプロテクタが陰極線管のネック部の先端に装着された状態でリードピンがソケットに取り付けられ、リードピンに電圧が加えられても、経時変化することなく長期間の使用に耐えることができる。
【００１１】
請求項２によれば、本体部は、弾性及び絶縁性を有する材料により形成され、リードピンが電源供給用のソケットに装着される際、陰極線管のネック部の先端に装着された状態で陰極線管のネック部の先端とソケットの間で挟持され、リードピンを所定長さだけソケットに挿入できるように、陰極線管のネック部の先端とソケットとの間で圧縮されて、その高さがリードピンの長さより所定長さだけ低くなるように変形するので、リードピンをソケットに装着する際、ピンプロテクタを取り外す必要がない。このため、陰極線管をテレビジョン受像機等の装置内にセットする際の作業性を向上させることができ、且つ、ピンプロテクタが異物として装置内に残る虞がなく装置の正常な動作を妨げることもない。
【００１２】
請求項３によれば、本体部を電気特性に優れたシリコーンゴムにより形成したので、ピンプロテクタが陰極線管のネック部の先端に装着された状態でリードピンがソケットに取り付けられ、リードピンに電圧が加えられても、経時変化することなく長期間の使用に耐えることができる。
【発明を実施するための最良の形態】
【００１３】
以下、本発明を具体化した一実施形態について説明する。図１に示されるように、ピンプロテクタ１は、陰極線管のネック部２の先端２０に設けられたリードピン２１を保護するための略円柱状の本体部１０を備えており、本体部１０は、陰極線管のネック部２の先端２０と嵌合するように、本体部１０の一部を高さ方向Ｈに切り欠いて形成された切欠部１１と、リードピン２１を挿入するために本体部１０の底面１０ａから上面１０ｂまで貫通して形成されたピン挿入孔１２とを有している。
【００１４】
陰極線管のネック部２の先端２０には、円筒状の第１の筒部２２と、ネック部２の径方向の断面が略扇形となる第２の筒部２３が形成されている。リードピン２１は、第１の筒部２２の周囲を円状に取り囲むように８本形成されており、そのうち１本が第２の筒部２３の内部に収納されている。
【００１５】
ピンプロテクタ１の切欠部１１は、第１の筒部２２と嵌合する第１の切欠部１１ａと、第２の筒部２３と嵌合する第２の切欠部１１ｂとを有している。第１の切欠部１１ａは、本体部１０の径方向Ｒの断面が略円形となるように本体部１０の一部を高さ方向Ｈに切り欠いて形成されており、第２の切欠部１１ｂは、径方向Ｒの断面が略扇形となるように、本体部１０の一部を高さ方向Ｈに切り欠いて形成されている。
【００１６】
リードピン２１は、後述するように陰極線管のネック部２の先端２０にピンプロテクタ１が装着された状態で電源供給用のソケットに取り付けられる（すなわち、ピンプロテクタ１が陰極線管のネック部２の先端２０とソケットの間で挟持された状態で、リードピン２１はソケットに取り付けられる）。図２に示されるように、ソケット３は、リードピン２１が挿入されるリードピン接続孔３１と、第１の筒部２２及び第２の筒部２３が嵌入される溝部３２とを有しており、リードピン２１はリードピン接続孔３１に所定長さＬ３（図５参照）だけ挿入された状態で、不図示の電源回路と電気的に接続される。
【００１７】
ピンプロテクタ１の本体部１０は、弾性及び絶縁性を有する材料により形成される。このような材料としてシリコーンゴムを用いることが好ましい。シリコーンゴムは優れた電気特性を有するので、ピンプロテクタ１が陰極線管のネック部２の先端２０に装着された状態でリードピン２１がソケット３に取り付けられ、リードピン２１に電圧が加えられても、経時変化することなく長期間の使用に耐えることができる。
【００１８】
また、本体部１０を形成する材料は、発泡処理が施されていることが好ましい。発泡処理が施された材料を用いることにより、本体部１０は、高さ方向Ｈに力が加えられた場合に変形し易くなる。このため、ピンプロテクタ１が陰極線管のネック部２の先端２０に装着された状態でリードピン２１がソケット３に取り付けられる際、ピンプロテクタ１は、高さ方向Ｈから加えられた力により容易に本体部１０の高さが低くなるように変形するので、簡単にリードピン２１を所定長さＬ３（図５参照）だけソケット３のリードピン接続孔３１に挿入することができる。
【００１９】
図３に示されるように、本体部１０は、高さ方向Ｈに力が加えられていない状態で、リードピン２１全体が保護できるようにリードピン２１の長さ（より詳細には、ネック部２の先端２０から突出しているリードピン２１の長さ）Ｌ１を超える高さＬ２を有すると共に、高さ方向Ｈに所定の大きさの力が加えられたときに、その高さがリードピン２１より所定長さＬ３（図５参照）だけ低くなるように変形する。
【００２０】
また、本体部１０の側面１０ｃは、蛇腹状に形成されていることが好ましい。本体部１０の側面１０ｃを蛇腹状にすることにより、ピンプロテクタ１は径方向Ｒに力が加えられた場合に変形し難く、高さ方向Ｈに力が加えられた場合に変形し易くなる。このため、ピンプロテクタ１は、径方向Ｒに大きな力が加えられた場合であっても、この力を吸収してリードピン２１の変形を防ぐことができる。また、ピンプロテクタ１が陰極線管のネック部２の先端２０に装着された状態でリードピン２１がソケット３に取り付けられる際、ピンプロテクタ１は、高さ方向Ｈから加えられた力により容易に本体部１０の高さが低くなるように変形するので、簡単にリードピン２１を所定長さＬ３（図５参照）だけソケット３のリードピン接続孔３１に挿入することができる。なお、このようなピンプロテクタ１を製造する方法は特に限定されるものではなく、例えば、射出成形等により製造することができる。
【００２１】
図４に示されるように、ピンプロテクタ１は、陰極線管のネック部の先端２０に形成された第１の筒部２２が第１の切欠部１１ａに嵌入され、第２の筒部２３が第２の切欠部１１ｂに嵌入されて、ピン挿入孔１２にリードピン２１が挿入された状態で陰極線管のネック部の先端２０に装着されてリードピン２１を保護する。
【００２２】
また、図５に示されるように、ピンプロテクタ１は、リードピン２１がソケット３に装着される際、陰極線管のネック部の先端２０に装着された状態で陰極線管のネック部の先端２０とソケット３の間で挟持され、リードピン２１を所定長さＬ３だけソケット３のリードピン接続孔３１に挿入できるように、陰極線管のネック部の先端２０とソケット３との間で圧縮されて、その高さがリードピン２１の長さＬ１より所定長さＬ３だけ低くなるように変形する。
【００２３】
以上のように本発明によれば、本体部１０は、弾性及び絶縁性を有する材料により形成され、リードピン２１が電源供給用のソケット３に装着される際、陰極線管のネック部の先端２０に装着された状態で陰極線管のネック部の先端２０とソケット３の間で挟持され、リードピン２１を所定長さＬ３だけソケット３に挿入できるように、陰極線管のネック部の先端２０とソケット３との間で圧縮されて、その高さがリードピン２１の長さＬ１より所定長さＬ３だけ低くなるように変形するので、リードピン２１をソケット３に装着する際、ピンプロテクタ１を取り外す必要がない。このため、陰極線管をテレビジョン受像機等の装置内にセットする際の作業性を向上させることができ、且つ、ピンプロテクタ１が異物として装置内に残る虞がなく装置の正常な動作を妨げることもない。
【００２４】
なお、本発明は、上記実施形態の構成に限られることなく、種々の変形が可能である。例えば、本体部１０の形状は略円柱状でなくてもよく、リードピン２１全体を覆うことができる柱状であればよい。また、本体部１０の側面１０ｃは蛇腹状でなくてもよく、円柱や角柱の側面であってもよい。
【図面の簡単な説明】
【００２５】
【図１】本発明の一実施形態に係るピンプロテクタ、及び同ピンプロテクタが装着される陰極線管のネック部の先端付近の斜視図。
【図２】同陰極線管が取り付けられるソケットの斜視図。
【図３】図１におけるＡ−Ａ線断面図。
【図４】同ネック部の先端に同ピンプロテクタが装着された状態を示す断面図。
【図５】同陰極線管をソケットに取り付けた状態を示す断面図。
【図６】従来例に係るピンプロテクタ、及び同ピンプロテクタが装着される陰極線管のネック部の先端付近の斜視図。
【符号の説明】
【００２６】
１    ピンプロテクタ
２    陰極線管のネック部
３    ソケット
１０  本体部
１１  切欠部
１２  ピン挿入孔
２０  ネック部の先端
２１  リードピン
Ｌ１  リードピンの長さ
Ｌ２  本体部の高さ
Ｌ３  所定長さ
【図１】
2006294426.tif 000003
【図２】
2006294426.tif 000004
【図３】
2006294426.tif 000005
【図４】
2006294426.tif 000006
【図５】
2006294426.tif 000007
【図６】
2006294426.tif 000008